(57)【要約】【課題】容器に発光体を設けてこれを点滅させ、遊戯場の豪華さを高めるとともに遊戯の楽しさを高めるコイン入れ容器を提供する。【解決手段】遊戯場で使用される容器１であって、電源と発光体７を有する発光手段を設け、容器１本体の両側に把手部４，４を設け、該把手部４，４に複数の発光体７を配置し、該発光体７を点滅させるようにしたことを特徴とする遊戯用コイン入れ容器。【選択図】図２
0003119784.tif 000002
【実用新案登録請求の範囲】
【請求項１】
遊戯場で使用される容器であって、電源と発光体を有する発光手段を設け、該容器の周縁部に複数の発光体を配置し、該発光体を点滅させるようにしたことを特徴とする遊戯用コイン入れ容器。
【請求項２】
遊戯場で使用される容器であって、電源と発光体を有する発光手段を設け、容器本体の両側に把手部を設け、該把手部に複数の発光体を配置し、該発光体を点滅させるようにしたことを特徴とする遊戯用コイン入れ容器。
【請求項３】
前記発光体を透光性材料で形成されたカバーで被覆し、該カバーにおける光が通過する面を、光が屈折する面に形成したことを特徴とする請求項１又は２記載の遊戯用コイン入れ容器。
【請求項４】
前記発光体に発光ダイオードを使用したことを特徴とする請求項１又は２又は３記載の遊戯用コイン入れ容器。
【考案の詳細な説明】
【技術分野】
【０００１】
本考案は遊戯用コイン入れ容器に関する。
【背景技術】
【０００２】
パチンコホールなどの遊戯場において使用される、コインや玉を収納する容器として、透明や半透明の素材で成形したもの、或いは色彩を施したものが知られている。
【考案の開示】
【考案が解決しようとする課題】
【０００３】
ところで、昨今、パチンコホールなどの遊戯場においては、その遊戯の楽しさや遊戯場内での華やかさを高めることが要望されている。
【０００４】
しかし、前記、従来のように、単にコインや玉を収納するのみの容器では、容器の形状や色彩を変えるなどして華やかさを演出するのみであって、この容器をより目立たせ、遊戯の楽しさを強調することは難しかった。
【０００５】
そこで本考案は、容器の周縁に発光体を備えることによって、前記の要望を満たす遊戯用コイン入れ容器を提供することを目的とするものである。
【課題を解決するための手段】
【０００６】
前記の課題を解決するために、請求項１記載の考案は、遊戯場で使用される容器であって、電源と発光体を有する発光手段を設け、該容器の周縁部に複数の発光体を配置し、該発光体を点滅させるようにしたことを特徴とするものである。
【０００７】
請求項２記載の考案は、遊戯場で使用される容器であって、電源と発光体を有する発光手段を設け、容器本体の両側に把手部を設け、該把手部に複数の発光体を配置し、該発光体を点滅させるようにしたことを特徴とするものである。
【０００８】
請求項３記載の考案は、請求項１又は２記載の考案において、前記発光体を透光性材料で形成されたカバーで被覆し、該カバーにおける光が通過する面を、光が屈折する面に形成したことを特徴とするものである。
【０００９】
請求項４記載の考案は、請求項１又は２又は３記載の考案において、前記発光体に発光ダイオードを使用したことを特徴とするものである。
【考案の効果】
【００１０】
本考案によれば、容器の周縁に発光体を備えてこれを点滅させるようにしたことにより、煌びやかに容器を装飾し、遊戯の面白さや遊戯場内の華やかさを強調することができる。
【００１１】
また、発光体の点滅パターンを変化させることによって、更に、華やかさを強調することができる。
【００１２】
更に、発光体を把手部に設けることにより、広い面を利用して発光体を容易に設けることができる。更に、カバーにおける発光体の光が通過する面を光が屈折する面に形成したことにより、発光体の形状が外視されることなく、かつ、発光体からの光を拡散して外部へ放出でき、豪華さを増大させることができる。更に、発光体に発光ダイオードを使用することにより、鮮やかな光を放出させることができる。
【考案を実施するための最良の形態】
【００１３】
本考案を実施するための最良の形態を図に示す実施例に基づいて説明する。
【実施例１】
【００１４】
図１乃至図６は実施例１を示す。
図１乃至図４に示すように、遊戯場で使用するコインを入れる容器１は、透光性材料、例えば透明や半透明の樹脂で成形されており、容器１の長手方向における両側の底部には、上方が開口して中空状に形成された有底の脚部２，２が垂設されている。
【００１５】
該脚部２，２は前記容器１の長手方向に直交する方向に長く形成され、この脚部２，２の上部には、樽を縦方向に半分に割って横倒した形状の本体部３が、その分割した面を上方に開口するように位置させて、前記脚部２，２と一体に形成されている。
【００１６】
すなわち、本体部３は、底壁３ａと前後壁３ｂ，３ｂと両側壁３ｃ，３ｃとを一体に形成している。
【００１７】
また、前記脚部２，２の開口部は本体部３の底面を貫通して上方に開口し、穴部２ａ，２ａを形成している。この穴部２ａ，２ａには、同じ形状の他の容器１の脚部２，２を上方から挿入できるようになっている。
【００１８】
前記本体部３の長手方向における両側壁３ｃ，３ｃには、内部に空間を有し、下方が開口した方形の把手部４，４が外側方へ突出して形成され、該把手部４，４の内面はカット加工が施されている。本実施例では上壁４ａの内面にダイヤカット面４ｂが施され、その他の内面（前後壁面と両側壁面）にローレット面４ｃが施され、光が屈折する面に形成されている。この把手部４，４は前記のような透光性材料で形成され、発光体７を被覆するカバーを兼用している。
【００１９】
本体部３の長手方向における両側壁３ｃ、３ｃの内面側には内側に陥入した電源収納部５，５が形成され、この電源収納部５，５内に、端子を備えた乾電池ホルダー６，６が収納できるようになっている。この乾電池ホルダー６，６内には電源となる乾電池が端子を接続して収納される。前記電源収納部５，５の外側、すなわち、本体部３の両側壁３ｃ，３ｃの側には、電源収納部５，５の外側を覆うようにして、Ｌ字型に形成された蓋体５ａ，５ａが設けられ、この蓋体５ａ，５ａを取外し、前記乾電池ホルダー６，６の蓋を取外すことによって内蔵された乾電池を脱着できるようになっている。
【００２０】
該蓋体５ａ，５ａには、貫通穴５ｂ，５ｂが空けられ前記乾電池ホルダー６，６に備えられた電源スイッチ６ａ，６ａが、該貫通穴５ｂ、５ｂから外部に突出するようになっている。更に、前記蓋体５ａ，５ａには後述する基板に接続されるリード線が挿通する配線孔５ｃ，５ｃが形成されている。
【００２１】
また、前記把手部４，４の内部には、発光体である発光ダイオード（ＬＥＤ）７をプリント基板８に装着した発光部９が収納される。
【００２２】
この発光部９は図５に示すような収納台１０によって把手部４，４内に収納されている。該収納台１０は、前記基板８の側部と下部を覆い、かつ、前記把手部４，４の下方の開口部を閉塞するように嵌合して定着するようになっている。この収納台１０を把手部４，４内の空間に下方から嵌合させることによって、基板８を把手部４，４に収納することができる。また、把手部４，４と収納台１０の側面には、それぞれ挿通穴４ｄ，１０ａが空けられ、後述するリード線を挿通するとこができる。なお、プリント基板８の上部表面と収納台１０は白色に着色されており、半透明の素材と色彩的に一体感を出すと共に、光の反射効率を良くしている。
【００２３】
また、発光部９は、プリント基板８とＩＣとＬＥＤ７等によって構成されている。プリント基板８の上面には、異なる色のＬＥＤ７（本実施例では赤、青、緑の３色）を複数選定して、これらを所定の間隔で、所定の配列で複数個、上方へ突出するように配置されている。実施例においては、複数の発光体７が、図１に示すように、把手部４，４の長手方向において直線上に配置されている。
【００２４】
更に、プリント基板８の下面には、点滅パターンをプログラムした図示しないＩＣと前記ＬＥＤ７の端子等が備えられ、ＩＣの各出力端子から各ＬＥＤ等を結ぶようにしてパターンが焼付けられている。また、プリント基板８には電圧を供給するリード線が前記挿通穴４ｄ，１０ａを挿通しながら接続され、該リード線の他端に備えられたソケットに、前記乾電池ホルダー６，６から配線されたリード線のソケットを繋ぐことによって、発光部９に電圧を供給できるようになっている。
【００２５】
直線上に複数配置されたＬＥＤ７は、ＩＣに記録された点滅パターンプログラムによって、様々な発光を表現したり、点滅サイクルを調整できるようになっている。
【００２６】
前記発光体（ＬＥＤ）７を有する発光部９と電源により発光手段が構成される。
次に使用状態について説明する。
【００２７】
パチンコホール等の遊戯場において、コインが多くなった際には、そのコインを、遊戯台の近辺に置いた容器１に移す、また、その容器１の両側面に設けられた乾電池ホルダー６，６の電源スイッチ６ａ，６ａをそれぞれ手動でオン操作をする。
【００２８】
すると、把手部４，４の内部に搭載された発光部９に乾電池から電圧が供給され、ＩＣの点滅パターンプログラムに従って、ＩＣの各出力端子から各々の信号が出力される。この出力によりＬＥＤ７が点灯、点滅、消灯する。
【００２９】
点滅のパターンは所望に設定され、複数個配置されたＬＥＤ７の一端から他端に向かって順番に光が流れるように点滅させたり、２つずつ点滅させたり、前記の順番を逆にしたり、また、全てのＬＥＤを同時に点滅させたり、光が除々に明るくなるように光の強弱を表したりするなど、様々な発光を繰り返す。
【００３０】
また、把手部４，４は透光性材料の透明或いは半透明の樹脂で形成され、かつ、カット加工が施されていることから、ＬＥＤ７の光が把手部４，４を通る際に屈折され、外部に鮮やかな光を放出させることができる。
【００３１】
以上のことから、本実施例は発光部９のＬＥＤ７を様々なパターンで、点灯、点滅、消灯させることによって、煌びやかに容器１を装飾し、更には、光を屈折させて豪華さを増大させて放出することから、光によって豪華さを高めている昨今のパチンコホール内の雰囲気に溶け合い、遊戯の面白さや華やかさを強調することができる。
【００３２】
また、把手部４，４は、その底面を除く他の面が透光性材料で形成されているから、底面を除く他の面から光が放出される。
【００３３】
なお、本実施例の容器１は前記の形状から、不使用時においては、図６に示すように、容器１の底面に開口して形成された脚部２，２の穴部２ａ，２ａに、同じ形状の他の容器１の脚部２，２を上方から挿入することによって、収納スペースの縮小化を図ることができる。
【実施例２】
【００３４】
図７乃至図１１は実施例２を示す。
本実施例２は、前記実施例１の脚部２，２を設けず、図７に示すように、載置台３０に容器を載置する形式のものに本考案を適用したものである。
【００３５】
この載置台３０は、２本の木製の支持材３１，３２をＸ字状に交差させ、その交差部を支軸３３で回転可能に連結し、そのＸ字状の交点を軸として開閉できるようにし、Ｘ状に開いたり、Ｉ字状に折りたたみ可能な支持部３４を有し、これを２個並設して構成されている。
【００３６】
また、本実施例２の容器２０は、木材で形成され、図７乃至図１１に示すように、該本体部２１は前記実施例１のように、樽を縦方向に半分に割った形状で、その分割した面が上方に開口するように形成され、その底面を床面に配置された前記載置台３０上に載置されて支持される。
【００３７】
前記本体部２１の側面には金属の帯部２２が周方向に巻回され、一般的な樽と同様の装飾が施されている。また、本体部２１の長手方向における両側部には、把手部２３，２３が形成され、その把手部２３，２３の上部には、発光部９が装着できるようになっている。
【００３８】
本体部２１の長手方向における両側壁には電源収納部２４，２４が形成され、この電源収納部２４，２４内に、前記乾電池ホルダー６，６が収納できるようになっている。
【００３９】
また、把手部２３，２３の下部には、窪み部２５，２５が形成され、把手部２３，２３の下に指を入れやすくすると共に、把手部２３，２３の下部に空けられた挿通穴２３ａから挿出されるリード線を配線することができるようになっている。
【００４０】
把手部２３，２３の上部には、発光体である発光ダイオード７を有する発光部９が収納され、発光部９は、前記実施例１と同様に構成されている。
【００４１】
また、発光部９は、透光性材料である透明或いは半透明の樹脂で形成されたカバー２６，２６に収納されており、そのカバー２６，２６内面には前記と同様にカット加工、例えばダイヤカット面４ｂやローレット面が施されている。該カバー２６，２６で発光体７を被覆するとともに、該カバー２６，２６に空けられた貫通穴２６ａにネジを挿通することによって、把手部２３，２３に螺着されている。
【００４２】
更に、該カバー２６，２６の下部には電圧を供給するリード線が挿通する図示しない穴が形成されており、この穴から挿出されたリード線を前記の把手部２３，２３の下部に空けられた貫通穴２３ａから挿出して、電源スイッチ６ａ，６ａを有する乾電池ホルダー６，６から配線されたリード線に繋ぐことによって、発光部９に電圧を供給するようになっている。
【００４３】
本実施例２では、カバー２６，２６における上面側と、容器の長手方向における外側の２面からのみ光が放出される。
【００４４】
本実施例２は、通常の木製の樽と近似させ、かつ、この樽をＸ状の載置台３０に載置することにより、興趣ある容器で、かつ、光の点滅による上記の効果を発揮させることができ、遊戯をより、楽しくさせることができる。
【実施例３】
【００４５】
上記実施例１及び２は容器を樽様に形成したが、その他の形状、例えば宝箱様に形成してもよい。
【００４６】
すなわち、本体部を上方が開口した方形の木箱とし、その木箱の下面の四隅にキャスターを配置して構成してもよい。
【００４７】
更に、この木箱の本体部の側面に、鍵穴やその他の金属板の装飾材を取り付けて装飾を施してもよい。
【００４８】
このような木箱の容器に前記実施例２と同様に、本体部の長手方向における両側面に把手部を形成し、その把手部の上部に透明或いは半透明の樹脂製のカバーを設け、そのカバー内に上記と同様の発光部９を装着する。
【００４９】
その他の構造においては、実施例２と同様であり、発光部９等の発光手段も同様にする。
【００５０】
この実施例３においても、前記実施例２と同様の効果を奏することができる。
なお、前記実施例１乃至３は、発光体７を把手部４，２３に設けたが、容器における把手部を有しない側の上端の周縁に発光体を設けてもよい。すなわち、容器の上端周縁の全周に発光体を設けてもよい。
【００５１】
また、本考案の容器１は、前記のように主としてコインを収納するものであるが、パチンコの玉を収納しても良い。
【図面の簡単な説明】
【００５２】
【図１】本考案の実施例１を示す平面図。
【図２】本考案の実施例１を示す一部破断側面図。
【図３】図１におけるＡ−Ａ線断面図。
【図４】図１における底面図で、把手部における収納台を外した図。
【図５】収納台を示すもので、（ａ）は側面図、（ｂ）は上面図。
【図６】容器の積み重ね収納状態を示す概略図。
【図７】本考案の実施例２を示す説明図。
【図８】本考案の実施例２の容器を示す側面図。
【図９】図８の平面図。
【図１０】図９におけるＢ−Ｂ線断面図。
【図１１】図９におけるＣ−Ｃ線断面図。
【符号の説明】
【００５３】
１  容器
３  本体部
４，２３  把手部
２６  カバー
４ｂ，４ｃ  光を屈折させる面
７  発光体である発光ダイオード
９  発光部
【図１】
0003119784.tif 000003
【図２】
0003119784.tif 000004
【図３】
0003119784.tif 000005
【図４】
0003119784.tif 000006
【図５】
0003119784.tif 000007
【図６】
0003119784.tif 000008
【図７】
0003119784.tif 000009
【図８】
0003119784.tif 000010
【図９】
0003119784.tif 000011
【図１０】
0003119784.tif 000012
【図１１】
0003119784.tif 000013